(57)【要約】【課題】テレビジョン受像機において、ユーザが所望のＴＶ番組と同一内容の番組であるＶＯＤコンテンツの配信予定情報を容易に知ることを可能にする。【解決手段】ユーザがＴＶ番組を視聴しているときに（Ｓ１）、再視聴希望ボタンを操作すると（Ｓ２）、ＴＶ受像機は、ユーザによって視聴されているＴＶ番組と同一内容の番組がＶＯＤコンテンツとして配信予定であるか否かを判断し（Ｓ３）、配信予定である場合（Ｓ４でＹＥＳ）、このＶＯＤコンテンツの配信予定情報をディスプレイに表示する（Ｓ５）。そして、ユーザによって、メール配信登録ボタンのいずれかが操作されると（Ｓ６でＹＥＳ）、ＴＶ受像機は、操作されたメール配信登録ボタンに対応するメールアドレスをメールサーバに登録する（Ｓ７）。メールサーバは、登録されたメールアドレス宛に、ＶＯＤコンテンツの配信が近づいた旨を知らせる通知メールを配信する。【選択図】図５
2012095123.tif 000002
【特許請求の範囲】
【請求項１】
放送局から配信されるテレビジョン番組を受信する受信手段と、
前記受信手段によって受信されたテレビジョン番組を表示する表示手段と、
ＶＯＤ（Ｖｉｄｅｏ  Ｏｎ  Ｄｅｍａｎｄ）サーバから配信されるＶＯＤコンテンツを受信するコンテンツ受信手段と、
装置各部を制御する制御手段とを備えるテレビジョン受像機において、
ＶＯＤサーバから配信されるＶＯＤコンテンツの配信予定情報を受信する配信予定情報受信手段と、
前記配信予定情報受信手段によって受信された前記配信予定情報から、ユーザが視聴しているテレビジョン番組と同一内容の番組がＶＯＤコンテンツとして配信予定であるか否かを判断する配信予定判断手段と、
ユーザによって操作され、前記配信予定判断手段による判断処理の実行を指示するための配信予定判断処理実行指示手段とをさらに備え、
前記制御手段は、ユーザによってテレビジョン番組が視聴されている際に、前記配信予定判断処理実行指示手段が操作され、前記配信予定判断手段を用いて、該ユーザによって視聴されているテレビジョン番組と同一内容の番組がＶＯＤコンテンツとして配信予定であると判断された場合、該ＶＯＤコンテンツの配信予定情報を前記表示手段に表示することを特徴とするテレビジョン受像機。
【請求項２】
配信先メールアドレスが登録されたメール配信情報を有し、該メール配信情報の内容に基づいて、該配信先メールアドレスにメールを送信するメールサーバと接続され、
ユーザによって操作され、前記メールサーバの前記メール配信情報に、ユーザの配信先メールアドレスの登録を指示するためのメール配信情報登録指示手段をさらに備え、
前記制御手段は、前記配信予定判断手段を用いて、前記ユーザによって視聴されているテレビジョン番組と同一内容の番組がＶＯＤコンテンツとして配信予定であると判断された場合に、前記メール配信情報登録指示手段が操作されると、前記ユーザの配信先メールアドレスを、前記メールサーバの前記メール配信情報に登録することを特徴とする請求項１に記載のテレビジョン受像機。
【請求項３】
複数の前記メール配信情報登録指示手段をさらに備え、該複数のメール配信情報登録指示手段は、それぞれ異なるユーザの配信先メールアドレスを、前記メールサーバの前記メール配信情報に登録指示するためのものであることを特徴とする請求項２に記載のテレビジョン受像機。
【発明の詳細な説明】
【技術分野】
【０００１】
本発明は、ＶＯＤ（Ｖｉｄｅｏ  Ｏｎ  Ｄｅｍａｎｄ）コンテンツを受信可能なテレビジョン受像機に関する。
【背景技術】
【０００２】
近年、映画やスポ−ツなどのコンテンツをユ−ザが見たい時に観ることができる、所謂ＶＯＤサ−ビスが知られている。ＶＯＤサービスは、例えば、「ドラマＡのＶＯＤコンテンツは９月１日から９月３０日まで配信する」のように、ＶＯＤコンテンツ毎に配信予定期間が決まっていることが多い。この配信予定期間中であれば、ユーザは２４時間好きな時に、そのＶＯＤコンテンツを視聴することができる。
【０００３】
ところで、従来、ユーザが所望のテレビジョン（以下、ＴＶ）番組の視聴を見逃したとき、このＴＶ番組が再放送される場合や、このＴＶ番組を録画していた場合にしか、ユーザが、このＴＶ番組を視聴することができなかった。しかしながら、近年、放送局から配信されるＴＶ番組と同一内容の番組がＶＯＤコンテンツとして配信されることがある。従って、ユーザは、所望のＴＶ番組の視聴を見逃したとしても、見逃したＴＶ番組と同一内容のＶＯＤコンテンツを視聴することができる。しかしながら、配信されるＶＯＤコンテンツの数は膨大であり、これらのＶＯＤコンテンツの中から、ユーザが所望のＴＶ番組と同一内容の番組のＶＯＤコンテンツを探し出すのは、ユーザにとって非常に手間が掛かるという問題がある。
【０００４】
これに対して、特許文献１には、ＥＰＧを作成する際に、放送番組毎のＶＯＤ配信予定情報に基づいて、ＶＯＤコンテンツとして配信予定であるか否かを判定し、配信予定のＴＶ番組である場合、そのＴＶ番組にＶＯＤアイコンを付与してＥＰＧを作成するＴＶ受像機が開示されている。しかしながら、このＴＶ受像機では、視聴したいＴＶ番組と同一内容の番組がＶＯＤコンテンツとして配信されることは分かるが、その配信予定が分からないため、ユーザは配信予定を調べる必要があり、ＶＯＤコンテンツを探し出す際の手間を十分に低減できないという問題がある。
【０００５】
また、特許文献２には、放送網を経由して取得した電子番組ガイド情報と、ＶＯＤコンテンツサーバから取得したコンテンツリスト情報とを用いて、放送番組の予定リストを作成すると共に、その一枠にＶＯＤコンテンツのリスト情報を付加して表示するＶＯＤ受信装置が開示されている。しかしながら、このＶＯＤ受信装置でも、上記問題を解決できない。
【０００６】
また、特許文献３には、デジタル放送の番組情報とユーザの操作情報から嗜好データを生成する嗜好データ生成部と、この嗜好データをＶＯＤサーバに通信する通信部とを備え、ＶＯＤサーバから取得したＶＯＤコンテンツ情報から、ユーザの嗜好に合致するＶＯＤコンテンツを推奨するＶＯＤ番組推奨システムが開示されている。しかしながら、このＶＯＤ番組推奨システムでも、上記問題を解決できない。
【先行技術文献】
【特許文献】
【０００７】
【特許文献１】特開２００８−２６３４３４号公報
【特許文献２】特開２００９−４４４３５号
【特許文献３】特開２００９−３３３７７号公報
【発明の概要】
【発明が解決しようとする課題】
【０００８】
本発明は、上述した問題点を解決するためになされたものであり、ユーザが所望のＴＶ番組と同一内容のＶＯＤコンテンツの配信予定情報を容易に知ることができるテレビジョン受像機を提供することを目的とする。
【課題を解決するための手段】
【０００９】
上記目的を達成するために請求項１の発明は、放送局から配信されるテレビジョン番組を受信する受信手段と、前記受信手段によって受信されたテレビジョン番組を表示する表示手段と、ＶＯＤ（Ｖｉｄｅｏ  Ｏｎ  Ｄｅｍａｎｄ）サーバから配信されるＶＯＤコンテンツを受信するコンテンツ受信手段と、装置各部を制御する制御手段とを備えるテレビジョン受像機において、ＶＯＤサーバから配信されるＶＯＤコンテンツの配信予定情報を受信する配信予定情報受信手段と、前記配信予定情報受信手段によって受信された前記配信予定情報から、ユーザが視聴しているテレビジョン番組と同一内容の番組がＶＯＤコンテンツとして配信予定であるか否かを判断する配信予定判断手段と、ユーザによって操作され、前記配信予定判断手段による判断処理の実行を指示するための配信予定判断処理実行指示手段とをさらに備え、前記制御手段は、ユーザによってテレビジョン番組が視聴されている際に、前記配信予定判断処理実行指示手段が操作され、前記配信予定判断手段を用いて、該ユーザによって視聴されているテレビジョン番組と同一内容の番組がＶＯＤコンテンツとして配信予定であると判断された場合、該ＶＯＤコンテンツの配信予定情報を前記表示手段に表示するものである。
【００１０】
また、請求項２の発明は、請求項１に記載のテレビジョン受像機において、配信先メールアドレスが登録されたメール配信情報を有し、該メール配信情報の内容に基づいて、該配信先メールアドレスにメールを送信するメールサーバと接続され、ユーザによって操作され、前記メールサーバの前記メール配信情報に、ユーザの配信先メールアドレスの登録を指示するためのメール配信情報登録指示手段をさらに備え、前記制御手段は、前記配信予定判断手段を用いて、前記ユーザによって視聴されているテレビジョン番組と同一内容の番組がＶＯＤコンテンツとして配信予定であると判断された場合に、前記メール配信情報登録指示手段が操作されると、前記ユーザの配信先メールアドレスを、前記メールサーバの前記メール配信情報に登録するものである。
【００１１】
また、請求項３の発明は、請求項２に記載のテレビジョン受像機において、複数の前記メール配信情報登録指示手段をさらに備え、該複数のメール配信情報登録指示手段は、それぞれ異なるユーザの配信先メールアドレスを、前記メールサーバの前記メール配信情報に登録指示するためのものである。
【発明の効果】
【００１２】
請求項１の発明によれば、ユーザによって視聴されているテレビジョン番組と同一内容の番組がＶＯＤコンテンツとして配信予定であると判断された場合に、このＶＯＤコンテンツの配信予定情報を表示する。そのため、ユーザは、所望のＴＶ番組と同一内容のＶＯＤコンテンツの配信予定情報を容易に知ることができ、所望のＶＯＤコンテンツを探し出す手間を低減できる。
【００１３】
また、請求項２の発明によれば、ユーザによって視聴されているテレビジョン番組と同一内容の番組がＶＯＤコンテンツとして配信予定であると判断された場合に、ユーザの配信先メールアドレスを、メールサーバに登録することができる。そのため、メールサーバが、登録された配信先メールアドレス宛に、ＶＯＤコンテンツの配信予定情報を送信することができるので、ユーザは、ＶＯＤコンテンツの配信予定情報を、例えば携帯電話等で受信することにより容易に知ることができる。
【００１４】
また、請求項３の発明によれば、それぞれ異なるユーザの配信先メールアドレスを、メールサーバのメール配信情報に登録指示することができる。そのため、ユーザ毎に異なる配信先メールアドレスをメールサーバに登録できるので、ユーザは所望のＶＯＤコンテンツの配信予定情報のみをメールサーバから受信することができる。
【図面の簡単な説明】
【００１５】
【図１】本発明の一実施形態に係るＴＶ受像機と、このＴＶ受像機に接続されたＶＯＤサ−バ及びメールサーバと、携帯電話と、リモコンとを含むネットワークシステムの概略構成図。
【図２】上記ＴＶ受像機の内部構成を示すブロック図。
【図３】上記ＴＶ受像機のリモコンの上面を示す上面図。
【図４】上記ＴＶ受像機のメモリの格納データを示すブロック図。
【図５】上記ＴＶ受像機におけるＶＯＤコンテンツの配信予定情報通知処理の手順を示すフローチャート。
【図６】上記ＴＶ受像機のディスプレイに表示される配信予定情報の一例を示す説明図。
【図７】上記メールサーバにおけるメール配信処理の手順を示すフローチャート。
【図８】上記携帯電話のディスプレイに表示されるメールの内容の一例を示す説明図。
【発明を実施するための形態】
【００１６】
以下、本発明の一実施形態に係るテレビジョン受像機について、図１乃至図４を参照して説明する。図１は、本実施形態のテレビジョン（以下、ＴＶという）受像機１と、ＶＯＤサーバ２と、メールサーバ３と、ＴＶ受像機１を操作するリモコン（配信予定判断処理実行指示手段、メール配信情報登録指示手段）５と、携帯電話６とを含むネットワークシステム１００の概略構成を示す。図２は、ＴＶ受像機１の内部構成を示し、図３は、リモコン５の上面を示し、図４は、ＴＶ受像機１のメモリ１８の格納データを示す。
【００１７】
ＶＯＤサ−バ２は、ＴＶ受像機１から送信されたＶＯＤコンテンツの配信要求を受信し、この配信要求に応じたＶＯＤコンテンツをＴＶ受像機１に配信するものである。また、ＶＯＤサーバ２は、ＶＯＤコンテンツの配信予定情報を格納したＶＯＤ配信予定情報（配信予定情報）２１を有し、ＴＶ受像機１にＶＯＤ配信予定情報を配信するものである。
【００１８】
メールサーバ３は、メールの配信先であるメールアドレスを格納したメールアドレス情報（配信先メールアドレス）３１と、メールを配信する日時を格納したメール配信日時情報（メール配信日時）３２と、ＶＯＤサーバから受信したＶＯＤ配信予定情報３３とを有し、メールアドレス情報３１及びメール配信日時情報３２の内容に基づいて、メールアドレス情報３１内のメールアドレス宛に所定のタイミングでメールを配信する。
【００１９】
携帯電話６は、この携帯電話６に割り当てられたメールアドレスを有し、メールサーバ３から携帯電話６のメールアドレス宛に配信されたメールを受信することができる。受信したメールの内容は、携帯電話６のディスプレイ６１に表示される。
【００２０】
ＴＶ受像機１は、図２に示すように、アンテナ１１に接続され、デジタル放送信号を受信するデジタルチューナ部（受信手段、コンテンツ受信手段）１２と、ＴＶ番組及びＶＯＤコンテンツの映像やＯＳＤ（Ｏｎ−Ｓｃｒｅｅｎ  Ｄｉｓｐｌａｙ）を表示するディスプレイ（表示手段）１３と、ＴＶ番組の音声を出力するスピーカ１４とを備える。また、ＴＶ受像機１は、リモコン５から送信されるリモコン信号を受信するリモコン信号受信部１５と、筐体外部に露出するように設けられたＨＤＭＩ端子部１６と、ネットワークカード（配信予定情報受信手段）１７と、各種情報を記憶したメモリ１８と、装置各部を制御するための制御用マイコン（制御手段）１９とをさらに備える。
【００２１】
リモコン５は、図３に示すように、電源ボタン５０と、第１メール配信登録ボタン（メール配信情報登録指示手段）５１と、第２メール配信登録ボタン（メール配信情報登録指示手段）５２と、第３メール配信登録ボタン（メール配信情報登録指示手段）５３と、第４メール配信登録ボタン（メール配信情報登録指示手段）５４と、再視聴希望ボタン（配信予定判断処理実行指示手段）５５と、数字ボタン５６とを備える。電源ボタン５０は、ＴＶ受像機１の電源のオン／オフを指示するものである。第１メール配信登録ボタン５１〜第４メール配信登録ボタン５４は、メールサーバ３のメールアドレス情報３１にメールアドレスを登録すると共に、メールサーバ３のメール配信日時情報３２にメールの配信日時を登録するよう指示するものである。
【００２２】
ユーザは、第１メール配信登録ボタン５１〜第４メール配信登録ボタン５４のそれぞれに、サーバ３に登録するメールアドレスとメール配信日時とを割り当てることができる。これらの割り当て情報は、ＴＶ受像機１のメモリ１８内に格納される。具体的には例えば、第１メール配信登録ボタン５１には、メールアドレスとして「ａａａ＠ａａａ．ｊｐ」と、メール配信日時として「ＶＯＤコンテンツの配信開始の前日」とが割り当てられるものとする。この場合、ユーザによって第１メール配信登録ボタン５１が操作されると、リモコン５は、第１メール配信登録ボタン５１に割り当てられたメールアドレスと、メール配信日時をメールサーバ３に登録するようＴＶ受像機１に指示を行う。そして、ＴＶ受像機１の制御用マイコン１９が、第１メール配信登録ボタン５１に割り当てられたメールアドレスとして「ａａａ＠ａａａ．ｊｐ」をメールサーバ３のメールアドレス情報３１に登録し、メール配信日時として「ＶＯＤコンテンツの前日」をメールサーバ３のメール配信日時情報３２に登録するよう要求を行う。
【００２３】
再視聴希望ボタン５５は、ＶＯＤ配信予定情報１８ｃから、ユーザが視聴しているＴＶ番組と同一内容の番組がＶＯＤコンテンツとして配信予定であるか否かを判断する処理の実行を指示するものである。数字ボタン５６は、「０」〜「９」の数字に対応する複数のボタンを有し、ユーザが、数字ボタン５６を操作することにより、チャンネルの選局等をＴＶ受像機１に指示することができる。
【００２４】
デジタルチューナ部１２は、デコ−ダ１２ａを有し、アンテナ１１を介して、放送局から配信される各チャンネルのデジタル放送信号を受信する。また、デジタルチューナ部１２は、放送局から配信されるデジタル放送信号のトランスポートストリーム（以下、ＴＳという）に含まれる番組情報等を受信して制御用マイコン１９に出力する。デコ−ダ１２ａは、例えばＭＰＥＧ−２方式やＨ．２６４規格等で符号化されたＴＶ番組のデジタル放送信号を復号して、復号したＴＶ番組の映像信号及び音声信号を制御用マイコン１９に出力する。
【００２５】
ネットワークカード１７は、ＬＡＮ４１を介してインタ−ネット４に接続され、インターネット４に対してパケット信号の送受信制御を行う。
【００２６】
メモリ１８は、図４に示すように、制御用マイコン１９を動作させるためのプログラム１８ａと、番組情報１８ｂと、ＶＯＤサーバ２から取得したＶＯＤ配信予定情報２１の内容に基づくＶＯＤ配信予定情報１８ｃと、配信先メールアドレス情報１８ｄと、メール配信日時情報１８ｅとを記憶している。
【００２７】
配信先メールアドレス情報１８ｄは、リモコン５の第１メール配信登録ボタン５１〜第４メール配信登録ボタン５４のそれぞれに割り当てられたメールアドレスを格納している。メール配信日時情報１８ｅは、リモコン５の第１メール配信登録ボタン５１〜第４メール配信登録ボタン５４のそれぞれに割り当てられたメールアドレスへのメール配信日時を格納している。
【００２８】
制御用マイコン１９は、映像出力部１９ａと、音声出力部１９ｂと、番組情報取得部１９ｃと、信号通信部１９ｄと、ＶＯＤ再生部１９ｅと、ＶＯＤ配信予定情報取得部（配信予定情報受信手段）１９ｆと、配信予定判断部（配信予定判断手段）１９ｇと、配信先メール登録部１９ｈと、ＯＳＤ出力部１９ｉとを有し、ユーザによるリモコン５の操作に基づいて自装置を動作させる。
【００２９】
映像出力部１９ａは、デジタルチューナ部１２によって受信されたＴＶ番組の映像信号や、ＶＯＤサーバ２から受信したＶＯＤコンテンツの映像信号をディスプレイ１３に出力する。音声出力部１９ｂは、デジタルチューナ部１２によって受信されたＴＶ番組の音声信号や、ＶＯＤサーバ２から受信したＶＯＤコンテンツの音声信号をスピーカ１４に出力する。
【００３０】
番組情報取得部１９ｃは、デジタルチューナ部１２から出力される番組情報を取得して、メモリ１８の番組情報１８ｂに格納する。
【００３１】
信号通信部１９ｄは、ＶＯＤサ−バ２に対して、ＶＯＤコンテンツの配信を要求するための信号や、ＶＯＤ配信予定情報２１の配信を要求するための信号を送信する。また、信号通信部１９ｄは、ＶＯＤサ−バ２から、ＶＯＤコンテンツのデータ信号や、ＶＯＤ配信予定情報２１のデータ信号の受信を行う。また、信号通信部１９ｄは、メールサーバ３に対して、メールアドレスとメール配信日時を送信すると共に、メールアドレス情報３１及びメール配信日時情報の登録を要求するための信号を送信する。
【００３２】
ＶＯＤ再生部１９ｅは、ユーザによるＶＯＤコンテンツの配信要求指示により、信号通信部１９ｄによって受信されたＶＯＤコンテンツの再生を行う。ＶＯＤ再生部１９ｅは、再生したＶＯＤコンテンツの映像信号を映像出力部１９ａに出力し、再生したＶＯＤコンテンツの音声信号を音声出力部１９ｂに出力する。
【００３３】
ＶＯＤ配信予定情報取得部１９ｆは、信号通信部１９ｄによってＶＯＤサーバ２からＶＯＤ配信予定情報２１を受信し、受信したＶＯＤ配信予定情報２１をメモリ１８のＶＯＤ配信予定情報１８ｃに格納する。
【００３４】
配信予定判断部１９ｇは、ＶＯＤ配信予定情報１８ｃから、ユーザが視聴しているＴＶ番組と同一内容の番組がＶＯＤコンテンツとして配信予定であるか否かを判断する処理を行う。
【００３５】
配信先メール登録部１９ｈは、ユーザによってリモコン５の第１メール配信登録ボタン５１〜第４メール配信登録ボタン５４のいずれかが操作されたときに、操作されたボタン５１〜５４に対応する配信先のメールアドレスを配信先メールアドレス情報１８ｄから取得すると共に、操作されたボタン５１〜５４に対応するメール配信日時をメール配信日時情報１８ｅから取得して、取得したメールアドレスとメール配信日時とを、信号通信部１９ｄを用いて、メールサーバ３に登録する処理を行う。また、配信先メール登録部１９ｈは、ユーザ所望のＶＯＤコンテンツのタイトル名等の識別情報もメールサーバ３に送信する。
【００３６】
ＯＳＤ出力部１９ｉは、各種メッセ−ジの映像信号をディスプレイ１３に出力してＯＳＤで表示させる。
【００３７】
次に、ＶＯＤコンテンツの配信予定情報通知処理の手順について、図５及び図６を参照して説明する。図５は、ＶＯＤコンテンツの配信予定情報通知処理の手順を示すフローチャートである。図６は、ディスプレイ１３に表示されるＶＯＤコンテンツの配信予定情報の一例を示す。
【００３８】
まず、ユーザがＴＶ番組を視聴しているときに（Ｓ１）、リモコン５の再視聴希望ボタン５５を操作すると（Ｓ２）、制御用マイコン１９は、配信予定判断部１９ｇを用いて、ユーザによって視聴されているＴＶ番組と同一内容の番組がＶＯＤコンテンツとして配信予定であるか否かを判断する（Ｓ３）。具体的には例えば、ユーザが視聴しているＴＶ番組の番組タイトル情報を番組情報１８ｂから取得し、この番組タイトル情報と一致する番組タイトルのＶＯＤコンテンツがあるか否かについて、ＶＯＤ配信予定情報１８ｃ内を検索して判断する。
【００３９】
上記Ｓ３の判断の結果、ユーザによって視聴されているＴＶ番組と同一内容の番組がＶＯＤコンテンツとして配信予定である場合（Ｓ４でＹＥＳ）、制御用マイコン１９は、ＯＳＤ出力部１９ｉを用いて、このＶＯＤコンテンツの配信予定情報をディスプレイ１３にＯＳＤで表示する（Ｓ５）。具体的には例えば、ユーザが視聴しているＴＶ番組の番組タイトル情報と同一の番組タイトル情報を有するＶＯＤコンテンツがあった場合、図６に示すように、「９月１０日から、○×番組のＶＯＤコンテンツが配信開始予定です。」というＶＯＤコンテンツの配信予定情報をディスプレイ１３に表示する。
【００４０】
そして、ユーザによって、リモコン５の第１メール配信登録ボタン５１〜第４メール配信登録ボタン５４のいずれかが操作されると（Ｓ６でＹＥＳ）、制御用マイコン１９は、操作されたメール配信登録ボタン５１〜５４に対応するメールアドレスとメール配信日時とを、配信先メール登録部１９ｈを用いてメールサーバ３に登録すると共に、ユーザが所望のＶＯＤコンテンツのタイトル名をメールサーバ３に送信する（Ｓ７）。
【００４１】
次に、メールサーバ３におけるメール配信処理について、図７及び図８を参照して説明する。図７は、メールサーバ３におけるメール配信処理の手順を示すフローチャートである。図８は、携帯電話６のディスプレイ６１に表示されるメールの内容の一例を示す。
【００４２】
まず、メールサーバ３は、メール配信日時情報３２を読込み（Ｓ１１）、メールを配信する日時であるか否かを判断する（Ｓ１２）。配信する日時である場合（Ｓ１３でＹＥＳ）、メールサーバ３は、メールアドレス情報３１の内容に基づいて、メールを配信する日時に、該当するメールアドレス宛に、ＶＯＤコンテンツの配信が近づいた旨を知らせる通知メールを配信する（Ｓ１４）。具体的には例えば、９月１０日に配信されるＶＯＤコンテンツについて、このＶＯＤコンテンツの配信予定の前日がメール配信日時として登録されている場合、９月９日の時点でメールサーバ３がメールを配信する。このとき、メールサーバ３は、ＶＯＤ配信予定情報からＶＯＤコンテンツのタイトル情報を取得して、例えば、「明日から○×番組のＶＯＤコンテンツが配信予定です」のような内容のメールを送信する。このメールを携帯電話６が受信した場合、携帯電話６のディスプレイ６１には、図８に示すように表示される。
【００４３】
上述したように、本実施形態に係るＴＶ受像機１においては、ユーザによって視聴されているＴＶ番組と同一内容の番組がＶＯＤコンテンツとして配信予定であると判断された場合に、このＶＯＤコンテンツの配信予定情報をディスプレイ１３に表示する。そのため、ユーザは、所望のＴＶ番組と同一内容のＶＯＤコンテンツの配信予定情報を容易に知ることができ、所望のＶＯＤコンテンツを探し出す手間を低減できる。
【００４４】
また、ＴＶ受像機１は、ユーザによって視聴されているＴＶ番組と同一内容の番組がＶＯＤコンテンツとして配信予定であると判断された場合に、ユーザのメールアドレスと、このメールアドレスへのメール配信日時とを、メールサーバ３のメールアドレス情報３１と、メール配信日時情報３２に登録する。そのため、メールサーバ３が、登録されたメールアドレス宛に、ＶＯＤコンテンツの配信予定情報を送信することができるので、ユーザは、ＶＯＤコンテンツの配信予定情報を、例えば携帯電話等で受信することにより容易に知ることができる。
【００４５】
また、メールサーバ３が、メール配信日時情報３２に登録された配信日時に基づいて、登録されたメールアドレス宛にメールを送信することができるため、例えば、ＶＯＤコンテンツの配信予定日時が近づいたときにメールを受信するよう登録することができ、ユーザは、所望のＶＯＤコンテンツの配信予定日時が近づいていることを容易に知ることができる。
【００４６】
また、ＴＶ受像機１は、それぞれ異なるユーザのメールアドレスと、これらのメールアドレスへのメール配信日時とを、メールサーバ３に登録指示することができる。そのため、ユーザ毎にメールアドレスとメール配信日時とを、メールサーバ３に登録できるので、ユーザは、所望のＶＯＤコンテンツの配信予定情報のみを、メールサーバ３から受信するように登録できる。
【００４７】
なお、本発明は、上記実施形態の構成に限られず、発明の趣旨を変更しない範囲で種々の変形が可能である。例えば、上記実施形態において、メールサーバ３が携帯電話にメールを配信する例を示したが、これに限られず、例えば、メール受信機能を有するＴＶ受像機がメールサーバからメールを受信してもよい。
【符号の説明】
【００４８】
１  ＴＶ受像機（テレビジョン受像機）
２  ＶＯＤサーバ
３  メールサーバ
５  リモコン（配信予定判断処理実行指示手段、メール配信情報登録指示手段）
１２  デジタルチューナ部（受信手段、コンテンツ受信手段）
１３  ディスプレイ（表示手段）
１９  御用マイコン（制御手段）
２１  ＶＯＤ配信予定情報（配信予定情報）
３１  メールアドレス情報（配信先メールアドレス）
５１〜５４  第１メール配信登録ボタン〜第４メール配信登録ボタン（メール配信情報登録指示手段）
５５  再視聴希望ボタン（配信予定判断処理実行指示手段）
１８ｃ  ＶＯＤ配信予定情報（配信予定情報）
１８ｄ  配信先メールアドレス情報（配信先メールアドレス）
１８ｅ  メール配信日時情報（メール配信日時）
１９ｆ  ＶＯＤ配信予定情報取得部（配信予定情報受信手段）
１９ｇ  配信予定判断部（配信予定判断手段）
【図１】
2012095123.tif 000003
【図２】
2012095123.tif 000004
【図３】
2012095123.tif 000005
【図４】
2012095123.tif 000006
【図５】
2012095123.tif 000007
【図６】
2012095123.tif 000008
【図７】
2012095123.tif 000009
【図８】
2012095123.tif 000010